(57)【特許請求の範囲】
【請求項１】
断面が縦長のコ字形で、錠箱の一方の側板と重合する本体部、及び、この本体部の上下端縁に一体に垂設され、錠箱の上板又は下板の半分の幅の連結部を有する第１補強板と、錠箱の他方の側板と重合する本体部を有し、第１補強板と面対称に成形された第２補強板と、錠箱の上板、背板及び下板に夫々沿う第１、第２及び第３プロテクタープレートを一体に連結し、全体の形状がコ字形の連結枠とを有し、この連結枠の第１及び／又は第３プロテクタープレートにこれを横断する凹陥部を形成し、一方、補強板の上方及び／又は下方の連結部に一対のスリットを形成し、これらのスリットの間に形成された連結片を連結枠の凹陥部に係合させた状態で第１及び第２補強板を錠箱の側板に装着したことを特徴とする錠箱の構造。
【発明の詳細な説明】
【技術分野】
【０００１】
この発明は、新規な錠箱の構造（以下単に錠箱という）に係り、特に、扉に装着された錠箱に対する暴力的な破錠を排除することができる錠箱に関する。
【背景技術】
【０００２】
所謂不正解錠の一態様として、鍵孔に覗くタンブラー群を工具によって解錠状態に揃えるピッキングとか、或いは下記特許文献１及び２に記載されたホールソーによるシリンダ筒の破壊等がある。
【特許文献１】特開２００２−３３２７６０
【特許文献２】特開２００２−３３９６０３
【発明の開示】
【発明が解決しようとする課題】
【０００３】
ピッキングによる攻撃に対しては従来種々の対策が講じられており、また、ホールソーによるシリンダ筒への攻撃に対しては、上記特許文献１及び２に記載された対策が有効であることが実証されている。
【０００４】
しかしながら、錠前にはシリンダ筒が無いものが有り、シリンダ錠がシリンダ筒によって保護されている場合でも、例えばホールソーにより扉の板毎錠箱の側板に大きな穴を開けられると、そこからデッドボルトを制御する部材を操作されて不正解錠されることがある。
【０００５】
そこで、この発明は、錠箱の側板等に穴を開けることによる不正解錠を排除し得る錠箱を提供することを目的としている。
【課題を解決するための手段】
【０００６】
上記の目的を達成するため、請求項１に記載の発明は、断面が縦長のコ字形で、錠箱の一方の側板と重合する本体部、及び、この本体部の上下端縁に一体に垂設され、錠箱の上板又は下板の半分の幅の連結部を有する第１補強板と、錠箱の他方の側板と重合する本体部を有し、第１補強板と面対称に成形された第２補強板と、錠箱の上板、背板及び下板に夫々沿う第１、第２及び第３プロテクタープレートを一体に連結し、全体の形状がコ字形の連結枠とを有し、この連結枠の第１及び／又は第３プロテクタープレートにこれを横断する凹陥部を形成し、一方、補強板の上方及び／又は下方の連結部に一対のスリットを形成し、これらのスリットの間に形成された連結片を連結枠の凹陥部に係合させた状態で第１及び第２補強板を錠箱の側板に装着したことを特徴とする。
【発明の効果】
【０００７】
上記のように構成された請求項１に記載の発明による錠箱は、扉の外面側から扉板を通してドリルやホールソーにより錠箱の側板を攻撃しても、その攻撃は側板に装着された焼入れ鋼板や硬質ステンレス板等の補強板により跳ね返され、このような暴力的な破錠を不可能にする。
【０００８】
また、ドリルやホールソーにより外面側の補強板の例えば取付ねじを攻撃し、補強板を錠箱から切り離したとしても、室内側の補強板、及びこれに保持された連結枠の凹陥部と室外側の補強板の連結片との係合により室外側の補強板は錠箱に係止され、補強板を扉内方に移動させることができないので、暴力的な破錠に対する抵抗性が更に増大する。
【発明を実施するための最良の形態】
【０００９】
錠箱の少なくとも扉外面側の側板に、補強板を側板に重合するように装着する、という簡単な構成により、ドリルやホールソーによる暴力的な破錠を不可能にすることができた。
【実施例１】
【００１０】
以下、この発明の実施例を図面を参照して説明する。
図１において符号２は第２補強板を、図２において符号１は第１補強板を夫々示す。その内、第１補強板は錠箱の図示しない室外側の側板外面に重合するように装着されるものとし、第２補強板１は、図１に示すように、錠箱の室内側の側板３の外面に重合するように装着される。
【００１１】
上記第１補強板１は、図２及び図３に示すように、断面が縦長のコ字形で、錠箱の室外側の側板外面に重合するように装着される矩形の本体部４を有している。
【００１２】
この本体部４、及び後述する連結部は、例えば焼入れ鋼板や硬質ステンレス板等の所謂固い板であるものとする。
【００１３】
図示の実施例では、この本体部４には図示しないシリンダ筒等を通すための小判形の連通孔が開口している。
【００１４】
また、上記本体部４の上下の開口端縁には、これと一体に、細長い矩形の連結部５、５が一体に垂設されている。
【００１５】
この連結部５の幅（図３で左右方向の寸法）は、図４に示すように、また後述するように、第２補強板２と共に錠箱６を包囲するようにこれに装着されたとき、第２補強板２の連結部５の端縁と接合できるように、錠箱６の上板（図示せず）或いは下板の幅の半分に設定されている。
【００１６】
また、第１補強板１の連結部５の所定の位置には、図５に示すように、一対のスリット７、７が形成されており、これらスリット７、７の間に矩形の連結片８が形成されている。
【００１７】
一方、錠箱の室内側の側板外面に重合するように装着される第２補強板２は、上記第１補強板１とは面対称に成形されている（図５参照）。
【００１８】
他方、図６において符号９は連結枠の全体を示し、この連結枠９は、錠箱の上板、背板及び下板に夫々沿う第１、第２及び第３プロテクタープレート１１、１２及び１３を一体に連結した全体の形状がコ字形の板状体である。
【００１９】
上記連結枠の第１及び第３プロテクタープレート１１、１３の長手方向、換言すれば図６における長手方向の所定の位置には、プロテクタープレートを横断するように断面細長い矩形の凹陥部１４、１４が相互に対向するように形成されている。
【００２０】
なお、上記プロテクタープレートの長手方向の所定の位置とは、図４に示すように、また後述するように、第１及び第２補強板１、２及び連結枠を組合わせて錠箱を包囲するように装着するとき、補強板の上記連結片８と整合する位置をいうものとする。
【００２１】
そして、図５に示すように、上から見て、第１及び第２補強板の連結板５、５が錠箱が遊動できる間隔を保って相互に対向させ、錠箱の背板側にコ字形の連結枠９の各プロテクタープレートが図示しない錠箱の上板、背板及び下板に近接するように嵌め込む。
【００２２】
その状態で第１及び第２補強板１、２を図５の矢印方向に動かし、補強板の連結片８を連結枠９の凹陥部１４と錠箱との間の隙間に差込み（図１参照）、その状態でビス１５止めする（図４参照）。
【００２３】
上記のように構成された請求項２に記載された発明の一実施例による錠箱は、ドリルやホールソーによって扉板に穴を開け、更に錠箱の側板を破壊しようとしても、焼入れ鋼板等の固い材質の補強板に跳ね返されることは前記した通りである。
【００２４】
また、この錠箱の構造をよく知っている者が居て、室外側の補強板の取付ビス１５（図４参照）をドリルによって攻撃してこれを除去した場合、補強板の連結部５が無い場合補強板が扉内空間に落ちてしまい、或いは、連結部５があっても連結枠９と係合していない場合には、補強板を横方向で錠箱のフロント板から離間する方向に滑らせると補強板が錠箱から外れて扉内空間に落ちてしまう。
【００２５】
しかしながら、請求項２に記載の発明によれば、室外側の補強板のビスが取れてしまっても、室外側の補強板は連結枠を介してビス止めされた室内側のに拘束されるから、室外側の補強板が錠箱から外れてしまうことはない。
【実施例２】
【００２６】
図示の実施例では、図１から明らかなように、連結枠９の第１及び第３プロテクタープレート１１、１３が錠箱の上板及び下板に接合し、凹陥部１４が形成されたプロテクタープレートの部分が補強板の連結部５の外側になっているが、これは、凹陥部１４が形成されたプロテクタープレートの部分が補強板の連結部５の内側になるような構成も採ることができる（図示せず）。
【実施例３】
【００２７】
なお、請求項１に記載の発明のように、単に補強板の本体部のような平たい板を錠箱の室内側の側板に装着してもほぼ同じ効果が得られる。
【００２８】
また、錠箱を収納する扉内空間の奥行、つまり、扉の自由側端縁の開口から見た錠箱収納空間の奥行が極端に短いものがあり、この場合、錠箱の背板の板厚方向の寸法が増えると錠箱が入りきれないことがあるが、請求項１に記載の発明においてはこのような不都合は無い。
【００２９】
この場合、ビス止めではビスを攻撃されれば補強板が落ちてしまう、という心配が生じるが、この場合補強板を例えばスポット溶接とか接着剤によって装着すればよい。
【図面の簡単な説明】
【００３０】
【図１】この発明の一実施例による錠箱の一部断面側面図。
【図２】補強板の側面図。
【図３】補強板の正面図。
【図４】この発明の一実施例による錠箱の平面図。
【図５】この発明を説明するための線図。
【図６】連結枠の側面図。
【符号の説明】
【００３１】
１  第１補強板
２  第１補強板
３  側板
４  本体部
５  連結部
６  錠箱
７  スリット
８  連結片
９  連結枠
１１  第１プロテクタープレート
１２  第２プロテクタープレート
１３  第３プロテクタープレート
１４  凹陥部
１５  ビス
【図１】
0004791134.tif 000002
【図２】
0004791134.tif 000003
【図３】
0004791134.tif 000004
【図４】
0004791134.tif 000005
【図５】
0004791134.tif 000006
【図６】
0004791134.tif 000007